(57)【要約】説明される眼鏡は、マウント（２）と、複数のレンズ（３）と、これらレンズをマウントに保持させるためのストラップ状の相互接続手段とを有している。このストラップ状の相互接続手段は、レンズを少なくとも部分的に囲むことができ、マウントに取着されている。ストラップ状の相互接続手段は、各レンズに対して、異なる横断面を有するセグメント形状の少なくとも２つの長さ部（１１ａ，１１ｂ）を有した単一のストラップセグメント（１１）を備えている。一方の長さ部の断面の外形は、第１の外形部分（１２ａ）と第２の外形部分（１２ｂ）とにより規定され、この第１の外形部分は、マウントのグルーブ（９）中に保持されることができ、第２の外形部分は、レンズの厚さ部に形成された外縁の溝（１０）に係合することができる。他方の長さ部の横断面の外形は、前記第２の外形部分の形状を実質的に有している。
2007537480.tif 000002
【特許請求の範囲】
【請求項１】
マウント（２）と、複数のレンズ（３）と、これらレンズを前記マウントに保持させるためのストラップ状の相互接続手段とを具備し、このストラップ状の相互接続手段は、前記レンズ（３）を少なくとも部分的に囲むことが可能であり、前記レンズを前記マウントに保持させるようにこのマウント（２）に取着されている眼鏡において、
前記ストラップ状の相互接続手段は、各レンズ（３）に対して、異なる横断面を有したセグメント形状の少なくとも２つの長さ部（１１ａ，１１ｂ）を備えている単一のストラップセグメント（１１）を有し、一方の長さ部（１１ａ）の横断面の外形は、第１の外形部分（１２ａ）と第２の外形部分（１２ｂ）とにより規定され、この第１の外形部分（１２ａ）は、前記マウントのそれぞれのグルーブ（９）中に保持されることが可能であり、前記第２の外形部分（１２ｂ）は、前記レンズの厚さ部に形成された外縁の溝（１０）に係合されることが可能であり、また、ストラップ形状の前記他方の長さ部（１１ｂ）の横断面の外形は、対応したこのストラップ形状の長さ部（１１ｂ）が、前記レンズ（３）を囲んで前記溝（１０）に係合するように、前記第２の外形部分（１２ｂ）の形状を実質的に有していることを特徴とする眼鏡。
【請求項２】
前記ストラップセグメント（１１）は、互いに延出方向に延びている第１の長さ部（１１ａ）と第２の長さ部（１１ｂ）とを有し、各長さ部は、長手延出方向において一定の横断面を有している請求項１の眼鏡。
【請求項３】
前記ストラップセグメント（１１）の第１の長さ部（１１ａ）は、前記第１の外形部分（１２ａ）と第２の外形部分（１２ｂ）とにより規定された横断面を有し、マウントの前記グルーブ（９）中に保持され、かつレンズの前記外縁の溝（１０）に係合されることにより前記マウント（２）とレンズ（３）との間に狭持されており、前記ストラップセグメント（１１）をカップリングするための手段が、前記マウントを取着するようにこのマウント（２）に設けられ、かくして、前記ストラップセグメントを予め選択された程度のテンションで、前記レンズ（３）を前記マウント（２）に保持している請求項１又は２の眼鏡。
【請求項４】
前記カップリングするための手段は、各レンズ（３）に対して、このレンズ（３）の厚さ部に面した位置で前記マウント（２）を貫通した少なくとも１対のホール（１３ａ，１３ｂ）を有しており、ストラップ形状の前記第２の長さ部（１１ｂ）の一端部は、内側から外側へと前記一方のホール中に挿入され、この次に、外側から内側へと前記他方のホール中に挿入され、前記第２の長さ部（１１ｂ）の自由端部は、前記マウントと前記レンズ（３）との間にある位置で、前記溝（１０）中に受け入れられている請求項３の眼鏡。
【請求項５】
前記マウントは、１対のマウント部材（３ａ）を有しており、各マウント部材は、それぞれのレンズ（３）を少なくとも部分的に囲むことが可能であり、また、鼻を支持する中央領域近くで延びている中央ブリッジ（４）により相互に接続されており、前記１対のホール（１３ａ，１３ｂ）は、前記鼻を支持する中央領域で前記マウント部材の各々に形成されている請求項４の眼鏡。
【請求項６】
前記ストラップセグメント（１１）は、プラスチック材料で形成されている前記全ての請求項のいずれか１の眼鏡。
【請求項７】
前記ストラップセグメント（１１）は、ナイロンで形成されている前記全ての請求項のいずれか１の眼鏡。
【請求項８】
前記ストラップ（１１）は、弾性的に伸縮可能な材料で形成されている前記全ての請求項のいずれか１の眼鏡。
【請求項９】
前記ストラップセグメント（１１）は、射出モールド成形により製造されている前記全ての請求項のいずれか１の眼鏡。
【請求項１０】
前記ストラップセグメント（１１）は、圧印ダイ中に過熱成形されることにより製造されている前記全ての請求項のいずれか１の眼鏡。
【請求項１１】
前記ストラップセグメント（１１）は、押し出し処理により製造されている前記全ての請求項のいずれか１の眼鏡。
【請求項１２】
前記グルーブ（９）は、対応した前記レンズ（３）の周りで対応した前記マウント部材（３ａ）中に、このマウント部材の延出方向全体に沿って形成されている前記全ての請求項のいずれか１の眼鏡。
【請求項１３】
前記グルーブ（９）は、前記ストラップセグメント（１１）の横断面の対応した部分を、実質的な形状適合により受け入れるような形状の横断面を有している前記全ての請求項のいずれか１の眼鏡。
【請求項１４】
前記グルーブ（９）は、前記ストラップ（１１）が、グルーブの長手方向に対して交差する方向へとこのグルーブから外れるのを防止するように、横断面が、グルーブの入り口開口部（９ｂ）に対して広げられたグルーブの内孔（９ａ）を有している前記全ての請求項のいずれか１の眼鏡。
【請求項１５】
前記グルーブ（９）は、前記ストラップセグメント（１１）が、前記グルーブ（９）の一端部に挿入されて、このストラップセグメントとグルーブとの間でこのグルーブの長手方向に相対的に摺動されることにより、前記ストラップセグメント（１１）の対応した外形に係合されている請求項１４の眼鏡。
【請求項１６】
前記第１の長さ部（１２ａ）と第２の長さ部（１２ｂ）とにより規定された所定の長さの前記ストラップ（１１）の横断面は、ほぼ８の字形状を有している前記全ての請求項のいずれか１の眼鏡。
【請求項１７】
前記第２の外形部分（１２ｂ）は、ほぼ円形形状を有している前記全ての請求項のいずれか１の眼鏡。
【請求項１８】
前記ストラップセグメント（１１）は、閉じたリングのように成形されている前記全ての請求項のいずれか１の眼鏡。
【請求項１９】
前記ストラップ（１１）の外形は、このストラップが前記マウントから外れるのを防止するように、このストラップが中に保持された前記マウントの長さ方向の一端部若しくは両端部に傾斜を施すことにより変形されている前記全ての請求項のいずれか１の眼鏡。
【請求項２０】
前記傾斜による変形は、前記マウントのラグの領域、若しくは反対側の鼻の領域に果たされている請求項１９の眼鏡。
【発明の詳細な説明】
【技術分野】
【０００１】
本発明は、主請求項１の前文に従ったストラップにより相互接続されたマウントと複数のレンズとを有し、改良された眼鏡に関する。
【背景技術】
【０００２】
参照の技術分野において、複数のレンズが、これらレンズを完全に若しくは部分的にのみ囲んでいるレンズ保持用のリムを有するマウントに、ストラップ状の相互接続手段により保持された眼鏡を製造することが知られている。代表的に、通常はナイロンからなる弾性かつ可撓性のストラップが与えられている。このストラップは、レンズのエッジの断面を囲んでマウントの対応したホールに係合されるように配置され、また、このマウントとレンズとを互いにしっかりと接続させるように伸張されることができる。
【０００３】
眼鏡のためのこのような既知のタイプのマウントは、各レンズに対して、レンズを部分的に囲むように配置されたマウント部材と、このレンズの残りのエッジ部分を囲むように延ばされた接続ストラップと、レンズの両側部の領域、特にラグの領域と鼻をサポートする中央ブリッジの領域でストラップを取着するために設けられたカップリング手段とを有している。また、例えば別の異なる第２の線状部材により形成された弾性のガスケットが、マウント部材と、これに面したレンズのエッジとの間に狭持され、レンズとマウントとの間に可縮性の支持クッションを構成し、接続ストラップの伸張の結果、マウントにレンズをロックするときに起こり得るレンズの破損を防止することができる。
【発明の開示】
【発明が解決しようとする課題】
【０００４】
本発明の主目的は、ストラップにより相互接続されたマウントとレンズとを有する眼鏡を提供し、マウントへのレンズの装着が、必要な部品、従って必要とされる組み合わせ動作の数を減じることにより、簡単並びに容易にされることである。他の目的は、ストラップにより相互接続されたレンズを受けるように配置されたマウントの構造を簡単にし、接続ストラップを相対的なテンションで取着するためのマウントにカップリング手段を設けることを制限若しくは除去することである。
【０００５】
更なる他の目的は、同様のストラップ状の相互接続手段が、異なるディメンション若しくは様式のレンズを装着するために機能し、かくして、必要とされる構成部品のより良い標準化により製造サイクルを簡単にしている。
【課題を解決するための手段】
【０００６】
以下で明らかとなるこれら並びに他の目的は、請求項に従って製造された眼鏡で本発明により達成される。
【０００７】
本発明の更なる特徴並びに効果は、添付図面を参照とした非限定的な一例による例示的な好ましい実施形態の以下の詳細な説明から明らかとなるであろう。
【発明を実施するための最良の形態】
【０００８】
参照された図において、参照符号１は、本発明に従って製造された眼鏡を全体的に示している。この眼鏡は、マウント２を有しており、このマウントに、1対のレンズ３が、ストラップ形式の相互接続手段により接続されている。このマウント２は、1対のマウント部材３ａを有しており、これらマウント部材の各々は、眉弓の領域でアーク状に延びている。これら部材３ａは、鼻をサポートする中央領域に配置された中央ブリッジ４により互いに接続されている。また、これら部材は、反対側の側方端部が、装着アーム７を枢支するようなヒンジ６のためのそれぞれの支持アーム５に接続されている。これら枢支支持部６は、また、関連の技術分野において「ラグ」という用語で知られている。前記部材３ａには、鼻をサポートし、図において８で全体的に示されているそれぞれのパッドが、さらに設けられている。
【０００９】
前記マウント部材３ａは、それぞれのレンズ３のエッジの対応した部分の形状に沿って、これら部分を囲むように成形されている。さらに、各マウント部材３ａには、このマウント部材３ａの全長に沿って延び、かつレンズの厚さに面した位置で開成したグルーブ９が形成されている。このグルーブ９は、これの両端面でも開成している。
【００１０】
また、各レンズ３の厚さ部には、続く説明で明瞭にされるように、ストラップ手段により対応したマウント部材３ａに接続されるように形成された溝１０が、レンズの外縁全体に沿って形成されている。この溝１０は、横断面が、円弧アーチ形状、若しくは、代わりの例として、全体的に変形可能な他の形状であることが好ましい。
【００１１】
前記ストラップ形式の相互接続手段は、各レンズ３に対して、例えばプラスチック材料、若しくは弾性並びに可撓性の同様の特性を有し、中でも金属材料を有する材料の弾性的に伸縮可能な材料で形成されることが好ましい単一セグメントのストラップ１１を有している。このために、ストラップ１１は、ナイロンを、射出成形技術を用いて、若しくは、圧印ダイ中に過熱成形するか押し出し処理することにより成形され得ることが好ましい。
【００１２】
前記ストラップ１１のセグメントは、互いに延出方向へと延び、かつ異なる横断面を有した少なくとも２つのセグメント形状の長さ部１１ａ，１１ｂを有している。より詳細には、第１の長さ部１１ａの横断面の形状は、１２ａ，１２ｂによりそれぞれ示されている第１の外形部分と第２の外形部分とにより規定されている。これら外形部分は、ほぼ８の字形状（図１２）を思い起こさせ、少なくともこれに近似した構造を、断面全体に与えるように、限定された中間の横断面の領域で互いに接続されている。
【００１３】
前記ストラップ形状の第２の長さ部１１ｂの外形は、上述した接続領域を除いて、前記第２の外形部分の形状を実質的に有し、好ましくは、円形形状である（図１６）。
【００１４】
好ましくは、前記ストラップ形状の長さ部１１ａ，１１ｂの横断面は、対応した長さ部のそれぞれの長手延出方向において一定である。
【００１５】
前記マウント２に各レンズ３を接続するために、各部材３ａのそれぞれのグルーブ９に係合されることにより保持されるようなストラップ形状の第１の長さ部１１ａが与えられ、また、第２の外形部分１２ｂをレンズの溝１０に係合することにより、レンズの外縁を囲むように延ばされるストラップセグメント１１全体が与えられている。このストラップ１１を適切に伸張させてマウント２にカップリングすることにより、マウントに対するレンズのロックが、以下に詳細に説明されるように得られる。
【００１６】
ストラップセグメント１１をマウント２に取着させるために、各マウント部材３ａには、カップリング手段が設けられ、このカップリング手段は、対応した部材３ａを貫通した１対の近接ホール１３ａ，１３ｂを有している。これらホールは、好ましくは、前記中央ブリッジ４に近接した部材の端部近くで部材３ａに形成され、レンズの厚み３に面した位置で軸方向に延びている。
【００１７】
前記レンズをマウントに接続するために、ストラップセグメント１１は、最初に、側方ラグ５に近接したマウント部材３ａの端部から延びる対応した長さ部１１ａにより、グルーブ９中に挿入される。そして、このストラップセグメントは、グルーブ９とストラップ１１との間の相対的な摺動により、グルーブにほぼ完全に係合され、この結果、ストラップがグルーブ中に保持される。このような保持動作は、グルーブの内孔９ａが、横断面において、グルーブの開口部９ｂに対して広げられたグルーブ９の形状によって確実にされ、この結果、ストラップが、このストラップの摺動方向に対して直交する方向へとグルーブから外れるのが防止される。次の工程で、第２の長さ部１１ｂの適切な長さの決定に従ってこの長さのサイズに切断されたストラップセグメント１１は、一対のホール１３ａ，１３ｂにカップリングすることにより、マウント部材３ａに取着される。ストラップ形状の長さ部１１ｂの一端部は、図４に明瞭に示されているように、マウント部材の内側から外側へとホール１３ａ中に挿入され、さらに外側から内側へとホール１３ｂ中に挿入される。従って、ストラップ形状の長さ部１１ｂの自由端部は、溝１０中に部分的に受け入れられたままである。
【００１８】
次の動作において、レンズ３は、第１のストラップ形状の長さ部１１ａが、レンズの溝１０の対応かつ面した部分に係合することにより、対応したマウント部材３ａに位置され、ストラップ形状の第２の長さ部１１ｂが延長して溝１０の残りの部分に係合することによりロックされる。ストラップ形状の第１の長さ部１１ａが、マウントとレンズとの間に狭持されることにより、レンズがマウントに支持されるエリアを減じることが可能である。これは、レンズ（脆弱な材料）をマウント（剛性の材料）に良好に適合させるために生じる弾性特性によって、ストラップ１１の伸張によりレンズをロックする間に、レンズを破損する危険なく果たされる。
【００１９】
ストラップ形状の第１の長さ部１１ａとマウント部材３ａとの間の相対的なロックは、グルーブ９とこのグルーブ中に保持されたストラップ形状の長さ部１１ａとの相互接触面間に生じる摩擦応力によりもたらされることに注意すべきである。ストラップ１１をグルーブ９中に保持させるために、予め選択された幾何学的な外形を有するグルーブの横断面が与えられ、互いの代用として設計されて、図８ないし１１に示されている。断面の基本的な種類は、グルーブの開口部９ｂを規定し互いに対向したリップ９ｃを備えたグルーブの内孔９ａの円形構造を与えていることに注意すべきである。図９は、頂点が丸い四辺形の構造を有したグルーブ９の外形の変形例を示し、図１０は、ほぼ三角形の構造を有した変形例を示し、また、図１１は、以上の構造の組み合わせから得られた変形例を示している。グルーブ９のセクションの予め選択された各々の構造のために、ストラップ形状の第１の長さ部１１ａの対応した横断面は、長さ部が、形状の実質的な適合によりグルーブ９に係合するのを確実にするように与えられていることは理解されるであろう。グルーブの内孔９ａのディメンションに対するグルーブの開口部９ｂがより限定的であると、ストラップが、伸張の効果により、以下に予測され得るように長手方向に変形しても、ストラップ１１をグルーブ中に保持することが効果的に可能である。
【００２０】
各レンズに対して、単一のストラップ１１が、（後述されるように、開いた状態であろうと閉じた状態であろうと）与えられ、各レンズが、このようなレンズの１つのみを特別に参照して以上に説明されたように取着されることは理解されるであろう。
【００２１】
本発明の主な変形例において、先の例の細部と同様の細部には、同じ参照符号が付されており、ストラップセグメント１１が、図７に明瞭に示されているように、閉じたリング形状に成形されている。この変形例において、先の例のものに類似したストラップ形状の第１の長さ部１１ａの横断面が与えられ、これら横断面は、例えば、互いの代用として、図１２ないし１５に与えられ、マウント部材３ａに形成されたグルーブ９（図８ないし１１）に対応した断面が与えられている。
【００２２】
閉じたリング構造において、前記ストラップ１１は、先の例に説明されたもののように、透孔を有するカップリング手段を設けることなく、マウントに取着され得ることが好ましい。実際、リング状のディメンションを適切に選択することにより、ストラップの伸張において、ストラップ自体を取着させるための補助手段を必要とすることなく、ストラップをレンズにロックするために必要な力を得ることができる。さらに、ストラップの弾性特性に基づいて、異なるゲージ（ディメンション）を有するレンズのロックをも可能にするのに適したリングの長さを与えることができる。従って、好ましくは、ストラップの同様のリングが、異なる様式並びにディメンションのレンズを取着するのに使用されることができ、かくして、眼鏡の製造並びに組み合わせのサイクルを容易かつ簡単にしている。
【００２３】
開いた状態と閉じた状態との両方を有するストラップにより、装着部の鼻の領域、若しくはラグの領域の外形内部にベベルを施し、この結果、ストラップがマウントにカップリングされた後にストラップが外れてしまうのを防止することにさらに注目すべきである。
【００２４】
最後に、本発明に従った眼鏡が、様々な材料、特にプラスチック材料、しかしこれに限定されない材料からなるマウントにより獲得され得ることが、指摘される。
【００２５】
かくして、本発明は、提案された目的を達成し、知られた解決策に対する複数の効果を与えている。
【００２６】
主な効果は、実際に、本発明に従って製造された眼鏡により、レンズを受けることができるマウントの構造が、知られた解決策において容易にされ、これと同時に、マウントにレンズを組み合わせるサイクルの動作を簡単にしているという事実にある。
【００２７】
他の効果は、異なる断面を有する単一セグメントのストラップとして製造されることができる接続ストラップの構造がより簡単になり、この結果、構成部品が減じられ、製造並びに組み合わせのコストが低くなることにある。
【００２８】
さらなる他の効果は、ストラップの接続手段を有する、異なる様式並びにディメンションのレンズの接続を効果的にし、この結果、製造された眼鏡の範囲に必要な構成部品を全体的に減じ得ることにある。
【図面の簡単な説明】
【００２９】
【図１】本発明に従って製造された眼鏡の正面図である。
【図２】図１の眼鏡の側面図である。
【図３】図１のIII−III線に沿って切断された断面の拡大図である。
【図４】装着工程の間にレンズが設けられた、本発明に従った眼鏡の図１に応じた図である。
【図５】図４の矢印Ｃにより示された眼鏡の細部の拡大図である。
【図６】本発明の細部の図である。
【図７】図６の細部により示された本発明の変形例の図である。
【図８】図３に示された眼鏡の細部の別の実施形態の部分を示した図である。
【図９】図３に示された眼鏡の細部の別の実施形態の部分を示した図である。
【図１０】図３に示された眼鏡の細部の別の実施形態の部分を示した図である。
【図１１】図３に示された眼鏡の細部の別の実施形態の部分を示した図である。
【図１２】図６並びに７のＡ−Ａ線に沿って切断された図である。
【図１３】図６並びに７のＡ−Ａ線に沿って切断された図である。
【図１４】図６並びに７のＡ−Ａ線に沿って切断された図である。
【図１５】図６並びに７のＡ−Ａ線に沿って切断された図である。
【図１６】図６並びに７のＢ−Ｂ線に沿って切断された図である。
【図１】
2007537480.tif 000003
【図２】
2007537480.tif 000004
【図３】
2007537480.tif 000005
【図４】
2007537480.tif 000006
【図５】
2007537480.tif 000007
【図６】
2007537480.tif 000008
【図７】
2007537480.tif 000009
【図８】
2007537480.tif 000010
【図９】
2007537480.tif 000011
【図１０】
2007537480.tif 000012
【図１１】
2007537480.tif 000013
【図１２】
2007537480.tif 000014
【図１３】
2007537480.tif 000015
【図１４】
2007537480.tif 000016
【図１５】
2007537480.tif 000017
【図１６】
2007537480.tif 000018
【国際調査報告】
2007537480.tif 000019
2007537480.tif 000020
2007537480.tif 000021